(57)【要約】【課題】レシピ工程の内容に基づいて、ユーザが視聴するコンテンツを切り替える。【解決手段】コンテンツ配信サーバは、レシピ情報に従った調理作業を、撮影範囲が異なる複数の撮影装置で撮影した各調理映像を取得する映像取得部と、レシピ情報を読み込む読込部と、レシピ情報の各レシピ工程に含まれる所定の用語を抽出する抽出部と、抽出した所定の用語に基づいて、映像取得部が取得した複数の調理映像の中から少なくとも一つの調理映像を選択する選択部と、選択部が選択した調理映像を配信する配信部と、を備える。【選択図】図１
2019201338.tif 000002
【特許請求の範囲】
【請求項１】
レシピ情報に従った調理作業を、撮影範囲が異なる複数の撮影装置で撮影した各調理映像を取得する映像取得部と、
前記レシピ情報を読み込む読込部と、
前記レシピ情報の各レシピ工程に含まれる所定の用語を抽出する抽出部と、
前記抽出した所定の用語に基づいて、前記映像取得部が取得した複数の調理映像の中から少なくとも一つの調理映像を選択する選択部と、
前記選択部が選択した調理映像を配信する配信部と、
を備えるコンテンツ配信サーバ。
【請求項２】
前記調理映像は、前記レシピ情報のレシピ工程単位でセグメントに時間分割され、
前記映像取得部は、前記セグメントと前記レシピ工程との対応関係を示すメタデータが付加された前記調理映像を取得する、請求項１に記載のコンテンツ配信サーバ。
【請求項３】
前記複数の撮影装置のうちの少なくとも一つは、前記調理作業を行う調理者の手元を前記撮影範囲とする、請求項１または請求項２に記載のコンテンツ配信サーバ。
【請求項４】
前記複数の撮影装置のうちの少なくとも一つは、前記調理作業を行う調理者の正面姿勢を前記撮影範囲とする、請求項１から請求項３のいずれか一項に記載のコンテンツ配信サーバ。
【請求項５】
前記所定の用語は、前記調理作業を示す用語、または、前記調理作業で用いられる調理器具を示す用語である請求項１から請求項４のいずれか一項に記載のコンテンツ配信サーバ。
【請求項６】
前記所定の用語は、前記調理作業を示す用語および前記調理作業で用いられる調理器具を示す用語の組み合わせである、請求項１から請求項５のいずれか一項に記載のコンテンツ配信サーバ。
【請求項７】
レシピ情報に従った調理作業を、撮影範囲が異なる複数の撮影装置で撮影した各調理映像を取得する映像取得部と、
前記レシピ情報を読み込む読込部と、
前記レシピ情報の各レシピ工程に含まれる所定の用語を抽出する抽出部と、
前記抽出した所定の用語に基づいて、前記映像取得部が取得した複数の調理映像の中から少なくとも一つの調理映像を選択する選択部と、
前記選択部が選択した調理映像を配信する配信部と、
を備えるコンテンツ配信システム。
【請求項８】
レシピ情報に従った調理作業を、撮影範囲が異なる複数の撮影装置で撮影した各調理映像を取得するステップと、
前記レシピ情報を読み込むステップと、
前記レシピ情報の各レシピ工程に含まれる所定の用語を抽出するステップと、
前記抽出した所定の用語に基づいて、前記取得した複数の調理映像の中から少なくとも一つの調理映像を選択するステップと、
前記選択した調理映像を配信するステップと、
を備えるコンテンツ配信方法。
【請求項９】
請求項８に記載のコンテンツ配信方法をコンピュータに実行させるためのプログラム。
【発明の詳細な説明】
【技術分野】
【０００１】
本開示は、コンテンツ配信サーバ、コンテンツ配信システム、コンテンツ配信方法、及びコンテンツ配信プログラムに関する。
【背景技術】
【０００２】
近年、スマートフォンやタブレットなどの携帯端末で、料理コンテンツを視聴しながら料理を行う人が増えている。例えば、特許文献１には、タブレット端末に各レシピ工程に対応する静止画をユーザが操作して表示させながら、調理を行うことができる情報処理システムが開示されている。当該システムでは、例えば、ユーザがタブレット端末に所定時間以上静止画を表示させていると、静止画が動画に切り替えられ、ユーザは調理者の動作を確認することができる。
【先行技術文献】
【特許文献】
【０００３】
【特許文献１】特開２０１５−１２１７５８号公報
【発明の概要】
【発明が解決しようとする課題】
【０００４】
料理コンテンツを視聴する際、調理作業を行う調理者の表情や動作を楽しみながら、レシピ工程の内容によっては、調理作業の様子をもっと詳しく知りたいというニーズがある。この点、特許文献１に開示されたシステムでは、静止画と動画の切り替えをユーザの動作に基づいて行っており、レシピ工程の内容に基づくものではない。
【０００５】
そこで、本開示は、このような事情に鑑み、レシピ工程の内容に基づいて、ユーザが視聴するコンテンツを切り替えるコンテンツ配信サーバ、コンテンツ配信システム、コンテンツ配信方法、及びコンテンツ配信プログラムを提供することを目的とする。
【課題を解決するための手段】
【０００６】
上記目的を達成するため、本開示に係るコンテンツ配信サーバは、レシピ情報に従った調理作業を、撮影範囲が異なる複数の撮影装置で撮影した各調理映像を取得する映像取得部と、レシピ情報を読み込む読込部と、レシピ情報の各レシピ工程に含まれる所定の用語を抽出する抽出部と、抽出した所定の用語に基づいて、映像取得部が取得した複数の調理映像の中から少なくとも一つの調理映像を選択する選択部と、選択部が選択した調理映像を配信する配信部と、を備える。
【０００７】
また、上記目的を達成するため、本開示に係るコンテンツ配信システムは、レシピ情報に従った調理作業を、撮影範囲が異なる複数の撮影装置で撮影した各調理映像を取得する映像取得部と、レシピ情報を読み込む読込部と、レシピ情報の各レシピ工程に含まれる所定の用語を抽出する抽出部と、抽出した所定の用語に基づいて、映像取得部が取得した複数の調理映像の中から少なくとも一つの調理映像を選択する選択部と、選択部が選択した調理映像を配信する配信部と、を備える。
【０００８】
また、上記目的を達成するため、本開示に係るコンテンツ配信方法は、レシピ情報に従った調理作業を、撮影範囲が異なる複数の撮影装置で撮影した各調理映像を取得するステップと、レシピ情報を読み込むステップと、レシピ情報の各レシピ工程に含まれる所定の用語を抽出するステップと、抽出した所定の用語に基づいて、取得した複数の調理映像の中から少なくとも一つの調理映像を選択するステップと、選択した調理映像を配信するステップと、を備える。
【０００９】
また、上記目的を達成するため、本開示に係るコンテンツ配信プログラムは、上述のコンテンツ配信方法をコンピュータに実行させる。
【発明の効果】
【００１０】
本開示によれば、レシピ工程の内容に基づいて、ユーザが視聴するコンテンツを切り替えることができる。
【図面の簡単な説明】
【００１１】
【図１】コンテンツ配信システム１の構成図である。
【図２】レシピ情報の一例を示す図である。
【図３】調理映像の一例を示す図である。
【図４】調理映像の選択について説明する図である。
【図５】コンテンツ配信サーバ１００の処理の流れを示すフローチャートである。
【図６】コンテンツ配信サーバ１００のハードウェア構成を示すブロック図である。
【発明を実施するための形態】
【００１２】
以下、本開示の実施形態について図面を参照して説明する。実施形態を説明する全図において、共通の構成要素には同一の符号を付し、繰り返しの説明を省略する。なお、以下の実施形態は、特許請求の範囲に記載された本開示の内容を不当に限定するものではない。また、実施形態に示される構成要素のすべてが、本開示の必須の構成要素であるとは限らない。
【００１３】
本実施形態に係るコンテンツ配信システムは、レシピ工程の内容に応じて、撮影範囲が異なる複数の撮影装置（カメラ）で撮影した調理作業の映像を切り替えて配信するシステムである。コンテンツの視聴者は、調理作業を行う調理者の表情や動作を楽しみながら、レシピ工程の内容によっては、調理作業の様子を詳しく知ることもできる。
【００１４】
図１は、コンテンツ配信システム１の構成図である。図１を参照して、コンテンツ配信システム１の概要および構成について説明する。
【００１５】
コンテンツ配信システム１は、コンテンツ配信サーバ１００と、視聴者端末２００と、を備え、ネットワークＮＷを介して通信可能に接続される。ネットワークＮＷは、ＷＡＮ（World Area Network）、ＬＡＮ（Local Area Network）等から構成される。なお、視聴者端末２００は、図１に示す台数に限らず、複数台がネットワークＮＷを介してコンテンツ配信サーバ１００に接続されていてもよい。
【００１６】
調理作業の実演を収録するキッチンスタジオでは、調理者であるタレントＴがレシピ情報のレシピ工程に従って調理を行う。コンテンツ配信サーバ１００は、撮影範囲の異なるカメラ１４１または１４２（詳細は後述する。）によって撮影された、タレントＴの調理作業の映像（調理映像）を、視聴者端末２００に配信する。
【００１７】
視聴者端末２００は、コンテンツを視聴する視聴者が使用する端末であって、例えば、スマートフォンやタブレット等の携帯端末や、ＰＣ（Personal Computer）等の情報処理端末である。視聴者端末２００は、汎用端末に、コンテンツ配信アプリケーションをインストールして実現することができる。
【００１８】
（コンテンツ配信サーバ１００の構成）
コンテンツ配信サーバ１００は、通信部１１０と、記憶部１２０と、制御部１３０と、を備える。
【００１９】
通信部１１０は、配信部に相当し、視聴者端末２００とネットワークＮＷを介して通信を行うための通信インターフェイスである。通信部１１０は、後述する選択部１３４が選択した調理映像を視聴者端末２００に配信する。
【００２０】
記憶部１２０は、レシピ情報を記憶する。レシピ情報は、調理作業の手順を示すレシピ工程を少なくとも含む。また、レシピ工程は、「炒める」、「煮る」、「切る」等の調理作業を示す用語や、「包丁」、「フライパン」、「鍋」等の調理作業で用いられる調理器具を示す用語を含む。
【００２１】
なお、レシピ情報には、調理に必要な材料・調理器具、料理や調理の様子を撮影した料理画像を含んでもよい。また、記憶部１２０に記憶されるレシピ情報は、ネットワークＮＷを介して視聴者端末２００から投稿されたレシピであってもよいし、コンテンツ配信システム１を運営する事業者が登録したレシピであってもよい。
【００２２】
図２は、レシピ情報の一例を示す図である。図２を参照して、レシピ情報の一例について説明する。
【００２３】
レシピ情報２０は、料理画像２１と、材料情報２２と、レシピ工程２３とから構成される。料理画像２１は、レシピ情報２０が示す料理を撮影した画像であり、図２の例では、スノーボールクッキーの画像である。材料情報２２は、レシピ情報２０が示す料理に必要な材料に関する情報である。
【００２４】
レシピ工程２３は、レシピ情報２０が示す料理、すなわちスノーボールクッキーの調理作業の手順である工程１〜８を示す。レシピ工程は、「混ぜる」、「加える」等の調理作業を示す用語や、「泡立て器」、「天板」等の調理作業で用いられる調理器具を示す用語を含む。
【００２５】
図１に戻って、制御部１３０について説明する。制御部１３０は、映像取得部１３１と、読込部１３２と、抽出部１３３と、選択部１３４とを含む。
【００２６】
映像取得部１３１は、撮影範囲が異なるカメラ１４１および１４２で撮影した、レシピ情報に従った調理作業の調理映像を取得する。具体的には、調理者であるタレントＴの、レシピ情報に従った一連の調理作業の実演を撮影した映像を、後述する映像生成部１４３から取得する。例えば、タレントＴは、料理が完成するまでの各レシピ工程を行う。
【００２７】
キッチンスタジオには、カメラ１４１および１４２が設置されている。カメラ１４１は、タレントＴの手元を撮影範囲とする。視聴者は、カメラ１４１の映像により、例えば、包丁で野菜を切ったり、泡立て器でボウルの中の材料を混ぜたりする作業が、どのように行われているか詳しく見ることができる。
【００２８】
カメラ１４２は、タレントＴの正面姿勢を撮影範囲とする。なお、正面姿勢とは、タレントＴの表情や動作、調理作業の様子が分かるような姿勢である。カメラ１４２は、例えば、タレントＴの作業台から上の部分を撮影範囲とする。視聴者は、カメラ１４２の映像により、タレントＴの表情や動作を楽しむことができる。
【００２９】
なお、キッチンスタジオに設置されるカメラはこれらに限られず、例えば、オーブンや電子レンジ内を撮影範囲とするカメラや、コンロを撮影範囲とするカメラが設置されていてもよいし、複数の人数で調理する場合は、それぞれの正面姿勢や手元を撮影範囲とするカメラが設置されてもよい。また、キッチンスタジオ内のタレントＴの音声や調理の音は、図示しないマイクによって収音される。
【００３０】
図３は、調理映像の一例を示す図である。図３（ａ）は、タレントＴの正面姿勢を撮影範囲とするカメラ１４２の調理映像である。調理台より上の範囲が映されており、タレントＴの表情や作業の様子がわかる。図３（ｂ）は、図３（ａ）の調理作業を行うタレントＴの手元を撮影範囲とするカメラ１４１の調理映像である。タレントＴが行う調理作業、すなわち、ボウルの中身を泡立て器で混ぜる作業がアップで撮影される。
【００３１】
図１に戻って、映像生成部１４３は、カメラ１４１および１４２が撮影した映像に対し、レシピ情報のレシピ工程単位でセグメントに時間分割する。そして、セグメントとレシピ工程との対応関係を示すメタデータを付加した調理映像を生成する。映像のレシピ工程単位での時間分割や、メタデータの付加は、例えば、映像の編集者による手作業や、画像認識や音声認識による調理作業の識別によって行われる。画像・音声認識技術による調理作業の識別は周知の技術であるから、詳細な説明は省略する。
【００３２】
読込部１３２は、記憶部１２０からレシピ情報を読み込む。具体的には、タレントＴが行っている調理作業に対応するレシピ情報を読み込む。
【００３３】
抽出部１３３は、読込部１３２が読み込んだレシピ情報から、各レシピ工程に含まれる所定の用語を抽出する。ここで、所定の用語とは、調理作業を示す用語、や、調理作業で用いられる調理器具を示す用語、または、それらの用語の組み合わせである。調理作業を示す用語は、例えば、「炒める」、「煮る」、「蒸す」、「切る」、「混ぜる」、「洗う」等の調理者が行う作業を表す動詞である。また、調理作業で用いられる調理器具を示す用語は、例えば、「包丁」、「フライパン」、「鍋」、「ヘラ」、「泡立て器」等の調理器具名であるが、「電子レンジ」、「オーブン」等の調理機械名を含んでもよい。
【００３４】
調理作業を示す用語や調理器具を示す用語の組み合わせとは、例えば、「フライパン」-「炒める」、「鍋」-「煮る」、「包丁」-「切る」等の、調理器具と、その調理器具を用いる可能性の高い調理作業との組み合わせである。
【００３５】
抽出部１３３が抽出する用語やその組み合わせは、視聴者がより詳しく調理作業の様子を知りたいと思うような作業内容に関連する用語である。上述した調理作業を示す用語や調理器具を示す用語の他に、材料の柔らかさや、炒め具合、焼き具合など、調理の程度を示す用語であってもよい。例えば、「とろみ」や「『の』の字」などの抽象的な表現であってもよい。また、本実施形態では、抽出する用語は、予めコンテンツ配信システム１を運営する事業者によって登録されているが、視聴者端末２００を介した視聴者からの指示により新たに登録、修正してもよい。
【００３６】
選択部１３４は、抽出部１３３が抽出した所定の用語に基づいて、映像取得部１３１が取得した、カメラ１４１および１４２の調理映像から一つの調理映像を選択する。選択部１３４は、調理映像に付加されたメタデータにより、調理映像がどのレシピ工程に対応しているかを参照し、抽出する用語を含むレシピ工程については、調理者の手元を撮影範囲とするカメラ１４１の調理映像を選択する。
【００３７】
具体的には、選択部１３４は、例えば、抽出する用語として登録された「混ぜる」を含むレシピ工程については、調理者の手元を撮影範囲とするカメラ１４１の調理映像を選択する。また、選択部１３４は、抽出する用語を含まないレシピ工程については、調理者の正面姿勢を撮影範囲とするカメラ１４２の調理映像を選択する。また、選択部１３４は、抽出する用語の組み合わせを含むレシピ工程について調理者の手元を撮影するカメラ１４１の調理映像を選択するようにしてもよい。
【００３８】
図４は、調理映像の選択について説明する図である。図４を参照して、選択部１３４が行う調理映像の選択について具体的に説明する。図４において示されるレシピ工程１〜８は、図２で説明したレシピ工程１〜８に対応する。
【００３９】
レシピ工程１〜８には、調理作業を示す用語として、「入れる」（レシピ工程２）、「混ぜる」（レシピ工程３及び５）、「丸め」及び「並べる」（レシピ工程７）、「入れ」及び「焼く」（レシピ工程８）が含まれる。また、調理器具を示す用語として、「ボウル」（レシピ工程２）、「泡立て器」（レシピ工程３及び５）、「天板」（レシピ工程７）、「オーブン」（レシピ工程８）が含まれる。
【００４０】
このうち、抽出部１３３が抽出する用語として、例えば、「泡立て器」-「混ぜる」、「天板」-「並べる」という調理器具と調理作業を示す用語の組み合わせが予め登録されている場合、この組み合わせを含むレシピ工程３，５，７について、選択部１３４は、タレントＴの手元を撮影するカメラ１４１の調理映像を選択する。それ以外のレシピ工程１，４，６，８については、タレントＴの正面姿勢を撮影するカメラ１４２の調理映像を選択する。
【００４１】
なお、キッチンスタジオに撮影範囲の異なる３台以上のカメラが設置されている場合は、カメラごとに抽出する用語を予め設定しておき、その用語を含むレシピ工程については、その用語が抽出する用語として設定されたカメラの調理映像を選択するようにしてもよい。例えば、オーブン内または正面を撮影範囲とするカメラについては、「オーブン」-「焼く」のような用語の組み合わせを設定しておく。これにより、視聴者は、オーブンを用いるレシピ工程の場合は、オーブンの調理映像を見ることができ、調理の様子をより詳しく知ることができる。
【００４２】
（コンテンツ配信サーバ１００が実行する処理の流れ）
図５は、コンテンツ配信サーバ１００の処理の流れを示すフローチャートである。図５を参照して、コンテンツ配信サーバ１００が実行する処理について説明する。
【００４３】
ステップＳ５０１において、映像取得部１３１は、映像生成部１４３によってメタデータが付加された、カメラ１４１及び１４２が撮影した調理映像を取得する。
【００４４】
ステップＳ５０２において、読込部１３２は、記憶部１２０から、映像取得部１３１が取得した調理映像において撮影されている調理作業に対応するレシピ情報を読み込む。
【００４５】
ステップＳ５０３において、抽出部１３３は、読込部１３２が読み込んだレシピ情報の各レシピ工程に含まれる所定の用語を抽出する。なお、所定の用語は、予めコンテンツ配信システム１の事業者によって登録されている。
【００４６】
ステップＳ５０４において、選択部１３４は、所定の用語を含むレシピ工程については、タレントＴの手元が撮影範囲のカメラ１４１の調理映像を選択する。所定の用語を含まないレシピ工程については、タレントＴの正面姿勢が撮影範囲のカメラ１４２の調理映像を選択する。
【００４７】
ステップＳ５０５において、通信部１１０は、選択部１３４が選択した調理映像を視聴者端末２００に配信する。なお、調理映像の選択と配信は、調理映像が終了するまで繰り返される。以上のようにして、コンテンツが配信される。
【００４８】
（ハードウェア構成図）
図６は、コンテンツ配信サーバ１００のハードウェア構成を示すブロック図である。コンテンツ配信サーバ１００は、コンピュータ６０１に実装される。コンピュータ６０１は、ＣＰＵ６０２と、主記憶装置６０３と、補助記憶装置６０４と、インターフェイス６０５と、を備える。
【００４９】
コンテンツ配信サーバ１００の各構成要素の動作は、プログラムの形式で補助記憶装置６０４に記憶されている。ＣＰＵ６０２は、プログラムを補助記憶装置６０４から読み出して主記憶装置６０３に展開し、当該プログラムに従って上記処理を実行する。また、ＣＰＵ６０２は、プログラムに従って、記憶領域を主記憶装置６０３に確保する。当該プログラムは、具体的には、コンピュータ６０１に、レシピ工程の内容に基づいて選択された調理映像を配信するためのコンテンツ配信プログラムである。
【００５０】
なお、補助記憶装置６０４は、一時的でない有形の媒体の一例である。一時的でない有形の媒体の他の例としては、インターフェイス６０５を介して接続される磁気ディスク、光磁気ディスク、ＣＤ−ＲＯＭ、ＤＶＤ−ＲＯＭ、半導体メモリ等が挙げられる。また、このプログラムがネットワークを介してコンピュータ６０１に配信される場合、配信を受けたコンピュータ６０１が当該プログラムを主記憶装置６０３に展開し、処理を実行しても良い。
【００５１】
また、当該プログラムは、前述した機能の一部を実現するためのものであっても良い。さらに、当該プログラムは、前述した機能を補助記憶装置６０４に既に記憶されている他のプログラムとの組み合わせで実現するもの、いわゆる差分ファイル（差分プログラム）であっても良い。なお、図６に示したハードウェア構成は、視聴者端末２００も同様の構成としてもよい。視聴者端末２００の各構成要素の動作も、上述のコンテンツ配信サーバ１００と同様に、補助記憶装置に記憶されたプログラムに従ったＣＰＵにより実現する。
【００５２】
（効果の説明）
本実施形態に係るコンテンツ配信システムでは、レシピ工程の内容に基づいて、ユーザが視聴するコンテンツを切り替えて配信する。これにより、ユーザ（視聴者）は、自ら操作することなく、調理作業を行う調理者の映像および調理作業の様子をアップした映像を楽しむことができる。これにより、ユーザは、調理者の表情や動作を楽しみながら、レシピ工程の内容によっては調理作業の様子を詳しく知ることができる。
【００５３】
また、調理映像の切り替えは、レシピ工程に含まれる所定の用語に基づいて行われる。所定の用語は、ユーザが調理作業の内容を詳しく知りたいと思うような作業内容に関連する用語であるから、ユーザのニーズに合った映像の配信を行うことができる。
【００５４】
また、所定の用語を調理作業を示す用語、および調理器具を示す用語の組み合わせとすることにより、ユーザが詳しく知りたい調理作業を詳しく指定することができるので、ユーザのニーズにより合った映像を配信することができる。
【００５５】
本実施形態は、その他の様々な形態で実施されることが可能であり、発明の要旨を逸脱しない範囲で種々の省略、置き換え、変更を行うことができる。これら実施形態やその変形は、発明の範囲や要旨に含まれると同様に、特許請求の範囲に記載された発明とその均等の範囲に含まれるものとする。
【符号の説明】
【００５６】
１  コンテンツ配信システム、１００  コンテンツ配信サーバ、１１０  通信部、１２０  記憶部、１３０  制御部、１３１  映像取得部、１３２  読込部、１３３  抽出部、１３４  選択部、１４１，１４２  カメラ、１４３  映像生成部、６０１  コンピュータ、６０２  ＣＰＵ、６０３  主記憶装置、６０４  補助記憶装置、６０５  インターフェイス
【図１】
2019201338.tif 000003
【図２】
2019201338.tif 000004
【図３】
2019201338.tif 000005
【図４】
2019201338.tif 000006
【図５】
2019201338.tif 000007
【図６】
2019201338.tif 000008
【手続補正書】
【提出日】平成30年7月10日(2018.7.10)
【手続補正１】
【補正対象書類名】特許請求の範囲
【補正対象項目名】全文
【補正方法】変更
【補正の内容】
【特許請求の範囲】
【請求項１】
レシピ情報に従って調理者が行う調理作業を、撮影範囲が異なる複数の撮影装置で撮影した調理映像を配信するコンテンツ配信サーバであって、
前記複数の撮影装置のうちの少なくとも一つは、前記調理作業を行う調理者の顔を含む正面姿勢を前記撮影範囲とする撮影装置であり、
前記複数の撮影装置で撮影した各調理映像を取得する映像取得部と、
前記レシピ情報を読み込む読込部と、
前記レシピ情報の各レシピ工程に含まれる所定の用語を抽出する抽出部と、
前記抽出した所定の用語に基づいて、前記映像取得部が取得した複数の調理映像の中から少なくとも一つの調理映像を選択する選択部と、
前記選択部が選択した調理映像を配信する配信部と、
を備えるコンテンツ配信サーバ。
【請求項２】
前記調理映像は、前記レシピ情報のレシピ工程単位でセグメントに時間分割され、
前記映像取得部は、前記セグメントと前記レシピ工程との対応関係を示すメタデータが付加された前記調理映像を取得する、請求項１に記載のコンテンツ配信サーバ。
【請求項３】
前記複数の撮影装置のうちの少なくとも一つは、前記調理作業を行う調理者の手元を前記撮影範囲とする、請求項１または請求項２に記載のコンテンツ配信サーバ。
【請求項４】
前記所定の用語は、前記調理作業を示す用語、または、前記調理作業で用いられる調理器具を示す用語である請求項１から請求項３のいずれか一項に記載のコンテンツ配信サーバ。
【請求項５】
前記所定の用語は、前記調理作業を示す用語および前記調理作業で用いられる調理器具を示す用語の組み合わせである、請求項１から請求項４のいずれか一項に記載のコンテンツ配信サーバ。
【請求項６】
レシピ情報に従って調理者が行う調理作業を、撮影範囲が異なる複数の撮影装置で撮影した調理映像を配信するコンテンツ配信システムであって、
前記複数の撮影装置のうちの少なくとも一つは、前記調理作業を行う調理者の顔を含む正面姿勢を前記撮影範囲とする撮影装置であり、
前記複数の撮影装置で撮影した各調理映像を取得する映像取得部と、
前記レシピ情報を読み込む読込部と、
前記レシピ情報の各レシピ工程に含まれる所定の用語を抽出する抽出部と、
前記抽出した所定の用語に基づいて、前記映像取得部が取得した複数の調理映像の中から少なくとも一つの調理映像を選択する選択部と、
前記選択部が選択した調理映像を配信する配信部と、
を備えるコンテンツ配信システム。
【請求項７】
レシピ情報に従って調理者が行う調理作業を、撮影範囲が異なる複数の撮影装置で撮影した調理映像を配信するコンテンツ配信方法であって、
前記複数の撮影装置のうちの少なくとも一つは、前記調理作業を行う調理者の顔を含む正面姿勢を前記撮影範囲とする撮影装置であり、
前記複数の撮影装置で撮影した各調理映像を取得するステップと、
前記レシピ情報を読み込むステップと、
前記レシピ情報の各レシピ工程に含まれる所定の用語を抽出するステップと、
前記抽出した所定の用語に基づいて、前記取得した複数の調理映像の中から少なくとも一つの調理映像を選択するステップと、
前記選択した調理映像を配信するステップと、
を備えるコンテンツ配信方法。
【請求項８】
請求項７に記載のコンテンツ配信方法をコンピュータに実行させるためのプログラム。
【手続補正２】
【補正対象書類名】明細書
【補正対象項目名】０００６
【補正方法】変更
【補正の内容】
【０００６】
上記目的を達成するため、本開示に係るコンテンツ配信サーバは、レシピ情報に従って調理者が行う調理作業を、撮影範囲が異なる複数の撮影装置で撮影した調理映像を配信するサーバであって、複数の撮影装置のうちの少なくとも一つは、調理作業を行う調理者の顔を含む正面姿勢を撮影範囲とする撮影装置であり、複数の撮影装置で撮影した各調理映像を取得する映像取得部と、レシピ情報を読み込む読込部と、レシピ情報の各レシピ工程に含まれる所定の用語を抽出する抽出部と、抽出した所定の用語に基づいて、映像取得部が取得した複数の調理映像の中から少なくとも一つの調理映像を選択する選択部と、選択部が選択した調理映像を配信する配信部と、を備える。
【手続補正３】
【補正対象書類名】明細書
【補正対象項目名】０００７
【補正方法】変更
【補正の内容】
【０００７】
また、上記目的を達成するため、本開示に係るコンテンツ配信システムは、レシピ情報に従って調理者が行う調理作業を、撮影範囲が異なる複数の撮影装置で撮影した調理映像を配信するシステムであって、複数の撮影装置のうちの少なくとも一つは、調理作業を行う調理者の顔を含む正面姿勢を撮影範囲とする撮影装置であり、複数の撮影装置で撮影した各調理映像を取得する映像取得部と、レシピ情報を読み込む読込部と、レシピ情報の各レシピ工程に含まれる所定の用語を抽出する抽出部と、抽出した所定の用語に基づいて、映像取得部が取得した複数の調理映像の中から少なくとも一つの調理映像を選択する選択部と、選択部が選択した調理映像を配信する配信部と、を備える。
【手続補正４】
【補正対象書類名】明細書
【補正対象項目名】０００８
【補正方法】変更
【補正の内容】
【０００８】
また、上記目的を達成するため、本開示に係るコンテンツ配信方法は、レシピ情報に従って調理者が行う調理作業を、撮影範囲が異なる複数の撮影装置で撮影した調理映像を配信する方法であって、複数の撮影装置のうちの少なくとも一つは、調理作業を行う調理者の顔を含む正面姿勢を撮影範囲とする撮影装置であり、複数の撮影装置で撮影した各調理映像を取得するステップと、レシピ情報を読み込むステップと、レシピ情報の各レシピ工程に含まれる所定の用語を抽出するステップと、抽出した所定の用語に基づいて、取得した複数の調理映像の中から少なくとも一つの調理映像を選択するステップと、選択した調理映像を配信するステップと、を備える。